(57)【要約】【課題】塗膜厚さが調整された路面標示の表層部に複数の凸部を設けることができ、しかも、凸部の高さを比較的高くすることができるとともに、凹凸形状の路面標示を安定して得ることができるようにする。【解決手段】底部に排出孔１１を有し塗料を収容するタンク１と、該タンク１を支持する台車と、タンク１の下側に配され、前記排出孔１１から排出された塗料の塗膜厚さを調整する塗膜厚調整体５とを備え、該塗膜厚調整体５を、塗膜厚さを調整する調整部５ａ、及び該調整部５ａから台車の移動方向に対し上側へ傾斜し、調整部５ｂにより塗膜厚さを調整された後の塗料の表層部を付着させることが可能な傾斜面５ｂを有する構成とし、傾斜面５ｂにより、路面標示の表層部に複数の凸部を形成することができるようにした。【選択図】図１
2007132020.tif 000002
【特許請求の範囲】
【請求項１】
底部に排出孔を有し塗料を収容するタンクと、該タンクを支持する台車と、前記タンクの下側に配され、前記排出孔から路面に排出された塗料の塗膜厚さを調整する塗膜厚調整体とを備え、移動を可能とした路面標示施工装置において、前記塗膜厚調整体は、前記塗膜厚さを調整する調整部、及び該調整部から前記移動の方向に対し上側へ傾斜し、前記調整部により塗膜厚さを調整された後の塗料の表層部を付着させることが可能な傾斜面を有することを特徴とする路面標示施工装置。
【請求項２】
前記傾斜面は前記移動の方向に対し３〜４０度の角度で傾斜している請求項１記載の路面標示施工装置。
【請求項３】
請求項１又は２に記載の路面標示施工装置の前記タンクに、粒体が混入された塗料を収容した状態で前記台車を路面で移動させ、前記排出孔から路面に排出された塗料が前記塗膜厚調整体と路面との間の空間を通過するとき該通過する塗料に圧力を加え、塗膜厚調整体を通過した直後の塗料に加えている圧力を解放し、該塗料の表層部及び前記粒体を前記傾斜面に付着させ、該傾斜面及び路面に付着した塗料の付着力と前記台車の移動により前記傾斜面及び前記付着した塗料との間に発生する剥離力との関係で前記傾斜面に付着した塗料を剥離させ、前記厚さを調整され且つ前記粒体による複数の凸部が塗膜の表層部に設けられた路面標示を形成することを特徴とする路面標示施工方法。
【発明の詳細な説明】
【技術分野】
【０００１】
雨天の夜間時に路面標示の視認が容易で、且つすべり止め効果を備えるべく、路面標示の表層部に複数の凸部を形成することが可能な路面標示施工装置及び路面標示施工方法に関する。
【背景技術】
【０００２】
溶融された塗料を路面に施工するスクリード方式の路面標示施工装置は、下部に排出孔を有し溶融された塗料を収容するタンクと、該タンクを支持する台車と、該台車に取付けられたハンドルと、前記タンクの下側に配され、前記排出孔を開閉する開閉弁と、前記排出孔から路面に排出された塗料の塗膜厚さを調整する塗膜厚調整体とを備え、前記台車を移動させつつ該台車の移動方向後側に路面標示を施工するように構成されている（例えば、特許文献１参照。）。尚、開閉弁の操作部は、前記ハンドルの近傍に配置されており、ハンドルを把持した位置で前記操作部を操作することができるようになっている。
【０００３】
このように構成された路面標示施工装置により路面標示の施工作業を行う場合、前記開閉弁により前記排出孔を開放した状態で、路面標示施工装置をハンドル側へ移動させつつタンク内の塗料を排出孔から路面に排出し、この排出した塗料を塗膜厚調整体によって均すことにより、所定厚さの標示を直線的に施工するものである。
【０００４】
ところで、近年、雨天の夜間時に視認が容易で、且つすべり止め効果を備える路面標示として、２〜５mmの大粒径の骨材が混入された塗料をスクリード方式の路面標示施工装置により路面に施工し、路面標示の表層部に一部の骨材を突出させ、路面標示の表面を凹凸形状にするようにしたものが知られている。
【特許文献１】特開２０００−１３６５０７号公報
【発明の開示】
【発明が解決しようとする課題】
【０００５】
ところが、前記大粒径の骨材が混入された塗料を路面に施工して路面標示の表面を凹凸形状にするようにした路面標示施工装置にあっては、塗膜厚調整体の路面からの高さ設定は大粒径の骨材の粒径より小さくすることはできず、粒体の粒径以上の高さに設定されるため、路面での塗膜厚さも、現在の路面標示の一般的な塗膜厚さである１〜２mmより比較的厚く、施工単価が高くなり、また、塗膜厚調整体により調整された塗膜厚を超える凸部は得られなかった。また、凸部を除いた塗膜厚さを一般的な１〜２mmの厚さとなるように塗料の排出量を少なく設定すると、台車の移動速度が遅いとき路面標示の表面に凹凸形状ができず、速いとき路面標示の仕上がりムラとか塗膜厚さ欠如の箇所が発生し易く、凹凸形状の路面標示を安定して施工することは困難である。たとえ、塗料に混入される粒体の粒径を比較的小さい１mm程度とし、さらに塗膜厚調整体の路面からの高さを１．５mm程度に設定して施工を行ったとしても、従来のスクリード方式による施工では、路面標示はかすれたり平坦なものになったりすることになり、改善策が要望されていた。
【０００６】
本発明は斯かる事情に鑑みてなされたものであり、主たる目的は塗膜厚調整体を、塗膜厚さを調整する調整部、及び該調整部から台車の移動の方向に対し上側へ傾斜し、調整部により塗膜厚さを調整された後の塗料の表層部を付着させることが可能な傾斜面を有する構成とすることにより、比較的大粒径の粒体を塗料に混入させて施工することができ、しかも、凹凸形状の路面標示を安定して得ることができる路面標示施工装置及び路面標示施工方法を提供することにある。
【０００７】
また、他の目的は傾斜面を３〜４０度の角度で傾斜させることにより、台車の移動速度及び塗料の粘性力の一方が適正値を外れることがあっても、塗料を傾斜面に良好に付着させることができ、凹凸形状の路面標示をより一層安定して得ることができる路面標示施工装置及び路面標示施工方法を提供することにある。
【課題を解決するための手段】
【０００８】
第１発明に係る路面標示施工装置は、底部に排出孔を有し塗料を収容するタンクと、該タンクを支持する台車と、前記タンクの下側に配され、前記排出孔から路面に排出された塗料の塗膜厚さを調整する塗膜厚調整体とを備え、移動を可能とした路面標示施工装置において、前記塗膜厚調整体は、前記塗膜厚さを調整する調整部、及び該調整部から前記移動の方向に対し上側へ傾斜し、前記調整部により塗膜厚さを調整された後の塗料の表層部を付着させることが可能な傾斜面を有することを特徴とする。
【０００９】
第１発明にあっては、塗膜厚調整体に傾斜面が設けられているため、粒体が混入された塗料を用いる場合、排出孔から路面に排出された塗料が塗膜厚調整体と路面との間の空間を通過するとき、通過する塗料に圧力が加わり、塗膜厚調整体を通過した直後の塗料は該塗料に加えている圧力が解放される。この圧力解放により塗料の表層部及び粒体を傾斜面に付着させることができる。そして、傾斜面及び路面に付着した塗料の付着力と、台車の移動により前記傾斜面及び前記付着した塗料との間に発生する剥離力との関係で前記傾斜面に付着した塗料が剥離する。この剥離により、前記厚さを調整された塗膜の表層部に、粒体による複数の凸部を設けることができる。
【００１０】
第２発明に係る路面標示施工装置は、前記傾斜面は前記移動の方向に対し３〜４０度の角度で傾斜していることを特徴とする。
【００１１】
第２発明にあっては、傾斜面は台車の移動の方向に対し３〜４０度の角度で傾斜しているため、台車の移動速度及び塗料の粘性力の一方が適正値を外れることがあっても、塗料を傾斜面に良好に付着させることができ、凹凸形状の路面標示をより一層安定して得ることができる。尚、傾斜面の角度が３度未満であると、傾斜面を傾斜方向に延長して該傾斜面の路面に対する高さを確保する必要があるため、塗料の傾斜面への付着距離が長くなり、塗料の保温性にムラが発生するとともに、粘着性による塗料の付着ムラが発生し易くなり、凹凸形状の路面標示を安定して得ることができない。また、傾斜面の角度が４０度を超えると、傾斜面に塗料が付着し難くなり、凹凸形状の路面標示を安定して得ることができない。    
【００１２】
第３発明に係る路面標示施工方法は、第１発明又は第２発明に記載の路面標示施工装置のタンクに、粒体が混入された塗料を収容した状態で前記台車を路面で移動させ、前記排出孔から路面に排出された塗料が前記塗膜厚調整体と路面との間の空間を通過するとき該通過する塗料に圧力を加え、塗膜厚調整体を通過した直後の塗料に加えている圧力を解放し、該塗料の表層部及び前記粒体を前記傾斜面に付着させ、該傾斜面及び路面に付着した塗料の付着力と前記台車の移動により前記傾斜面及び前記付着した塗料との間に発生する剥離力との関係で前記傾斜面に付着した塗料を剥離させ、前記厚さを調整され且つ前記粒体による複数の凸部が塗膜の表層部に設けられた路面標示を形成することを特徴とする。
【００１３】
第３発明にあっては、粒体が混入された塗料をタンクの排出孔から路面に排出しつつ台車を移動させることにより、排出孔から路面に排出された塗料が塗膜厚調整体と路面との間の空間を通過し、塗膜厚調整体の調整部により塗膜厚さを調整することができる。この通過時、通過する塗料に圧力が加わり、塗膜厚調整体を通過した直後の塗料は該塗料に加えている圧力が解放される。この圧力解放により塗料の表層部及び粒体を傾斜面に付着させることができる。そして、傾斜面及び路面に付着した塗料の付着力と、台車の移動により前記傾斜面及び前記付着した塗料との間に発生する剥離力との関係で前記傾斜面に付着した塗料が剥離する。この剥離により、前記厚さを調整された塗膜の表層部に、粒体による複数の凸部を設けることができる。
【発明の効果】
【００１４】
第１発明及び第３発明によれば、比較的大粒径の粒体が混入された塗料を排出孔から路面に排出しつつ、台車を移動させて従来と同様の施工作業を行うことにより、塗膜厚さが調整された路面標示の表層部に複数の凸部を設けることができ、しかも、凸部の高さを比較的高くすることができるとともに、凹凸形状の路面標示を安定して得ることができる。
【００１５】
第２発明によれば、台車の移動速度及び塗料の粘性力の一方が適正値を外れることがあっても、塗料を傾斜面に良好に付着させることができ、凹凸形状の路面標示をより一層安定して得ることができる。
【発明を実施するための最良の形態】
【００１６】
以下本発明をその実施の形態を示す図面に基づいて詳述する。図１は本発明に係る路面標示施工装置の要部の構成を示す断面図、図２は塗膜厚調整体の構成を示す拡大斜視図、図３は路面標示施工装置の全体の構成を示す側面図である。
【００１７】
図はスクリード方式の路面標示施工装置を示すものであり、底部に平面視矩形をなす排出孔１１を有し、溶融された熱可塑性の塗料を収容するためのタンク１と、該タンク１を支持し移動が可能な台車２と、該台車２の移動方向一側に取着されたハンドル３と、前記排出孔１１を開放する開放位置及び閉鎖する閉鎖位置への移動が可能な板状の開閉弁４と、排出孔１１の一側に配され、且つ開閉弁４が開放位置にあるとき、排出孔１１から路面に排出した塗料の塗膜厚を調整する板状の塗膜厚調整体５とを備え、開閉弁４の操作部４ａが前記ハンドル３の近傍に配置されており、ハンドル３を把持する位置で前記操作部４ａを揺動操作することができるように構成されている。
【００１８】
タンク１の下部には、底面１ａを上下に貫通させることにより台車２が移動する側を短幅とした平面視矩形をなす排出孔１１が設けられている。また、排出孔１１の長手方向両側には排出孔１１から排出された塗料の広がりを規制する一対の規制部（図示せず）が設けられている。
【００１９】
塗膜厚調整体５は、排出孔１１の幅方向一側に取着された板体からなり、排出孔１１より下側で塗膜厚を調整する扁平の調整部５ａと、該調整部５ａの一側縁から台車２の移動方向に対し後上側へ傾斜し、調整部５ａが塗膜厚さを調整した塗料の表層部を付着させるべき傾斜面５ｂを有する。調整部５ａ及び傾斜面５ｂは排出孔１１に対応する長さ、換言すると排出孔１１の全長と略等しい長さに形成されている。
【００２０】
傾斜面５ｂは台車２の移動方向に対し３〜４０度の角度で傾斜している。この傾斜面５ｂの傾斜角度θは、路面標示用の塗料の粘性及び台車２の移動速度（施工速度）に基づいて設定されている。換言すれば、塗料の一般的な粘性３０００〜５０００mPa・s 及び一般的な施工速度０．３〜０．５ｍ／秒の条件で所定の角度に設定されている。この傾斜面５ｂは１０〜２５度の傾斜角度にするのが好ましい。
【００２１】
図４は路面標示の施工過程を示す説明図、図５は路面標示の施工後の状態を示す説明図である。以上のように構成された路面標示施工装置は、タンク１内に加熱溶融され、且つ粒体６が混入された塗料Ｃを投入し、操作部４ａを揺動操作して開閉弁４を開放位置へ移動させ、排出孔１１を開放し、台車２をハンドル３側へ移動させつつ排出孔１１から塗料Ｃを排出させ、舗装された路面Ａに中央線、横断歩道線等の路面標示Ｂを施工する。
【００２２】
塗料Ｃは、熱可塑性の石油樹脂バインダー、可塑剤、体質顔料、着色顔料等を成分としており、該塗料に比較的大粒径の骨材、ガラスビーズ等の粒体６を混入してある。この粒体６は０．５〜１．５mm程度の粒径であるが、その他、必要に応じて２〜５mmの粒径であってもよい。また、粒体６は円形の粒である他、一辺の長さが０．５〜１．５mm程度又は一辺の長さが２〜５mm程度の立方体であってもよく、粒体６の形状及び大きさは特に調整されない。
【００２３】
粒体６が混入された塗料Ｃは加熱溶融され、粒体６の周面に付着しており、流動性及び粘性を有する状態で粒体６とともに排出孔１１から路面Ａに排出される。排出直後の塗料Ｃは流動性及び粘性を有するが、塗料自体が有するチキソトロピー性による流動性低下、及び熱可塑性故の自然冷却による流動性低下により除々に固化する。
【００２４】
路面標示Ｂの施工過程において、図４に示すように排出孔１１から路面Ａに排出された塗料は、塗膜厚調整体５の調整部５ａにより塗膜厚さが調整され、調整部５ａと路面との間の空間を通過する塗料に圧力が加わる。調整部５ａを通過した塗料Ｃは、通過した直後の塗料に加えられている圧力が解放され、調整された塗膜になりつつ塗料Ｃの表層部及び粒体６が傾斜面５ｂに粘性により付着する。      
【００２５】
この状態で台車２がハンドル３側（図４の右方）へ水平的に移動することにより、傾斜面５ｂ及び路面Ａに付着した塗料の付着力と台車２の移動により傾斜面５ｂ及び前記付着した塗料との間に剥離力が発生し、該剥離力により傾斜面５ｂの下側部分に付着している粒体６の周りがかき乱され、また、粒体６の傾斜面５ｂへの付着部６ａを作用点として粒体６が図４のように回転させられつつ除々に傾斜面５ｂの上側へ引上げられる。この引上げ過程で粒体６周りの塗料は傾斜面５ｂへの付着部６ａで除々に剥ぎ取られて少なくなり、粒体６の傾斜面５ｂへの付着力が欠乏し、ついには剥離力により傾斜面５ｂから粒体６部分が剥離される。この剥離により粒体６部分は、塗膜の表層部に複数の凸部ｂとなる。従って、図５に示すように塗膜厚さが調整された路面標示Ｂの表層部に複数の凸部ｂを形成することができる。このように塗膜厚さを調整する調整部５ａに連なる傾斜面５ｂを備え、該傾斜面５ｂにより凸部ｂを形成することができるため、比較的大粒径の粒体６を塗料に混入させて施工することができ、凹凸形状の路面標示Ｂを安定して得ることができる。
【００２６】
図６は塗膜厚調整体の傾斜面の機能を説明するための説明図である。以上のように比較的大粒径の粒体６による凸部ｂを得るには、凸部ｂの形成機構から鑑みて、図６に示すように、傾斜面５ｂの路面Ａとのなす傾斜角度θ及び調整された塗膜厚さに対する落差Ｈが重要である。ここで落差Ｈは傾斜面５ｂに沿って引上げられる粒体６の高さ位置である。傾斜角度θは大粒径の粒体６を施工中に傾斜面５ｂに接触・回転させるためには、傾斜角度θが４０度より大きいと該傾斜面５ｂに大粒径の粒体６が接触し難く、従って剥離力により粒体６を回転させ難いし、また、粒体６を高い位置に引上げることも困難となる。一方、傾斜角度θが３度より小さい場合、落差Ｈを大粒径の粒体６に対して十分な高さにするには傾斜面５ｂの傾斜方向長さＬを長くする必要があり、このため傾斜面５ｂに保温ムラが発生したり、塗料の付着ムラなどが生じ易く、大粒径の粒体６を安定して付着・回転させることができない。
【００２７】
実施例１
図７は路面標示を施工した後の状態を示す説明図である。本発明の路面標示施工装置を用いて、下記の条件にて施工実験し、図７に示す路面標示Ｂの凸部ｂの高さＴをダイヤルゲージにより１００地点を測定し、その平均値を求めた。従来の一般的な施工では排出孔１１から路面Ａに排出された塗料が塗膜厚調整体５を通過した直後に比較的小粒径の粒体を散布・固着させるのであるが、本発明の実施例では凸部ｂの高さＴをより正確に測定するため、粒体の散布を省略した。なお、従来の路面標示施工装置においても、同じ塗料を用いて施工実験を行い、本発明の施工実験と同様に路面標示の凸部の高さＴを測定した。
【００２８】
【表１】
2007132020.tif 000003
【００２９】
【表２】
2007132020.tif 000004
【００３０】
表２に現れているように本発明に係る路面標示施工装置により施工された路面標示Ｂの凸部ｂは、粒体６の粒径に関係なく従来の路面標示施工装置により施工された路面標示の凸部より比較的高くすることができる。
【００３１】
尚、以上説明した実施の形態では、塗膜厚調整体５の傾斜面５ｂを平坦面としたが、その他、傾斜面５ｂは上に凹又は下に凸の曲線状であってもよいし、また、ギザギザ形状などの凹凸面としてもよい。
【図面の簡単な説明】
【００３２】
【図１】本発明に係る路面標示施工装置の要部の構成を示す断面図である。
【図２】本発明に係る路面標示施工装置の塗膜厚調整体の構成を示す拡大斜視図である。
【図３】本発明に係る路面標示施工装置の全体の構成を示す側面図である。
【図４】本発明に係る路面標示施工装置による路面標示の施工過程を示す説明図である。
【図５】路面標示の施工後の状態を示す説明図である。
【図６】本発明に係る路面標示施工装置の塗膜厚調整体の傾斜面の機能を説明するための説明図である。
【図７】本発明に係る路面標示施工装置により路面標示を施工した後の状態を示す説明図である。
【符号の説明】
【００３３】
１    タンク
１１  排出孔
２    台車
５    塗膜厚調整体
５ａ  調整部
５ｂ  傾斜面
６    粒体
Ａ    路面
Ｂ    路面標示
ｂ    凸部
【図１】
2007132020.tif 000005
【図２】
2007132020.tif 000006
【図３】
2007132020.tif 000007
【図４】
2007132020.tif 000008
【図５】
2007132020.tif 000009
【図６】
2007132020.tif 000010
【図７】
2007132020.tif 000011